(57)【要約】【課題】文字画像を拡大して表示しても視認性を失わず、またコストを抑えることができる電子機器及び画像表示プログラムを提供する。【解決手段】ユーザは、表示画面１２０に表示された文字画像１２２が小さくて読みにくいため、操作部１３を介して文字画像１２２を拡大させる項目を選択し、制御部１００は、表示画面１２０に表示された文字画像１２２を拡大して表示させる。背景画像１２１と文字画像１２２のコントラストが低い場合、文字画像１２２を拡大表示させても、ユーザは、文字画像１２２を視認することが困難になるので、図３Ｂ（ｄ）に示すように、背景画像１２１と文字画像１２２のコントラストを高くして表示するので、ユーザは、文字画像１２２を視認することができる。【選択図】図３Ｂ
2009157777.tif 000002
【特許請求の範囲】
【請求項１】
背景画像、文字画像及び画像を表示する表示部と、
前記文字画像の大きさの選択操作を受け付ける操作部と、
前記選択操作に基づいて前記表示部に表示される前記文字画像の大きさの第１の変更処理を行い、前記第１の変更処理に基づいて前記背景画像の第２の変更処理を行う制御部と、
を備えたことを特徴とする電子機器。
【請求項２】
前記制御部は、前記選択操作に基づいて前記文字画像の大きさの前記第１の変更処理を行うとき、前記背景画像に基づいて前記文字画像の色を変更することを特徴とする請求項１に記載の電子機器。
【請求項３】
前記制御部は、前記選択操作に基づいて前記文字画像の大きさの前記第１の変更処理を行うとき、前記文字画像及び前記画像の配置を変更することを特徴とする請求項１に記載の電子機器。
【請求項４】
前記制御部は、前記選択操作に基づいて前記文字画像の大きさの前記第１の変更処理を行うとき、前記表示部に表示する必要性に基づいて表示させる前記文字画像数及び前記画像数を変更することを特徴とする請求項１に記載の電子機器。
【請求項５】
コンピュータを、
選択操作に基づいて表示部に表示される文字画像の大きさの第１の変更処理を行う第１の変更ステップと、
前記第１の変更処理に基づいて背景画像の第２の変更処理を行う第２の変更ステップと、
前記第１及び第２の変更処理が行われた前記背景画像及び前記文字画像を前記表示部に表示させる表示ステップと、
して機能させることを特徴とする画像表示プログラム。
【請求項６】
前記第２の変更ステップは、前記選択操作に基づいて前記文字画像の大きさの前記第１の変更処理を行うとき、前記背景画像に基づいて前記文字画像の色を変更することを特徴とする請求項５に記載の画像表示プログラム。
【請求項７】
前記第２の変更ステップは、前記選択操作に基づいて前記文字画像の大きさの前記第１の変更処理を行うとき、前記文字画像及び前記画像の配置を変更することを特徴とする請求項５に記載の画像表示プログラム。
【請求項８】
前記第２の変更ステップは、前記選択操作に基づいて前記文字画像の大きさの前記第１の変更処理を行うとき、前記表示部に表示する必要性に基づいて表示させる前記文字画像数及び前記画像数を変更することを特徴とする請求項５に記載の画像表示プログラム。
【発明の詳細な説明】
【技術分野】
【０００１】
本発明は、電子機器及び画像表示プログラムに関する。
【背景技術】
【０００２】
従来の技術として、複数の表示形式に基づいてテキストを表示可能な表示手段と、操作キーと、操作キーの操作に応じて表示手段が表示するテキストの大きさを変更するとともに、テキストの表示形式に応じてテキストの表示内容の調整を行う制御手段と、を備えた携帯端末装置が知られている（例えば、特許文献１参照）。
【０００３】
この携帯端末装置によると、表示手段に表示されたテキストの文字サイズを大きくすることで、視認性を向上させることができる。
【０００４】
また、従来の技術として、画面の表示様式を定義した表示モードを複数記憶しているデータテーブル記憶手段と、データテーブル記憶手段に記憶されている複数の表示モードの中から、１つを選択する表示モード選択手段と、表示部に表示されている画面の表示形式を、表示モード選択手段での選択に基づいた表示モードに変換して表示部に表示を行う表示制御手段と、表示モード選択手段で選択された表示モードの設定を記憶する設定記憶手段と、を備えた画面表示制御装置が知られている（例えば、特許文献２参照）。
【０００５】
この画面表示制御装置によると、利用者の視覚特性や視覚特性の変化、携帯端末の表示特性、利用環境の変化に適応するように画面の表示モードを自動的に切り替えることができる。
【特許文献１】特開２００４−３６４３２５号公報
【特許文献２】特開２００３−１５０２９１号公報
【発明の開示】
【発明が解決しようとする課題】
【０００６】
しかし、従来の携帯端末装置によると、背景画像とテキストの色によっては、文字サイズを大きくすることでかえってテキストが見難くなる問題があり、後者の画面表示制御装置においては、文字サイズに応じて表示手段の照度を変えることができるが、構成する部品が多くなり、コストが掛かるという問題があった。
【０００７】
従って、本発明の目的は、文字画像を拡大して表示しても視認性を失わず、またコストを抑えることができる電子機器及び画像表示プログラムを提供することにある。
【課題を解決するための手段】
【０００８】
（１）本発明は上記目的を達成するため、背景画像、文字画像及び画像を表示する表示部と、前記文字画像の大きさの選択操作を受け付ける操作部と、前記選択操作に基づいて前記表示部に表示される前記文字画像の大きさの第１の変更処理を行い、前記第１の変更処理に基づいて前記背景画像の第２の変更処理を行う制御部と、を備えたことを特徴とする電子機器を提供する。
【０００９】
このような構成によれば、視認性を失わずに文字画像を拡大して表示することができる。
【００１０】
（２）本発明は上記目的を達成するため、コンピュータを、選択操作に基づいて表示部に表示される文字画像の大きさの第１の変更処理を行う第１の変更ステップと、前記第１の変更処理に基づいて背景画像の第２の変更処理を行う第２の変更ステップと、前記第１及び第２の変更処理が行われた前記背景画像及び前記文字画像を前記表示部に表示させる表示ステップと、して機能させることを特徴とする画像表示プログラムを提供する。
【００１１】
このような画像表示プログラムによれば、視認性を失わずに文字画像を拡大して表示することができる。
【発明の効果】
【００１２】
本発明によれば、視認性を失わずに文字画像を拡大して表示することができる。
【発明を実施するための最良の形態】
【００１３】
以下に、本発明の電子機器の実施の形態を図面を参考にして詳細に説明する。
【００１４】
［実施の形態］
（電子機器１の構成）
図１は、本発明の実施の形態に係る電子機器の斜視図である。電子機器１は、アンテナ１５を介して外部より放送波を受信して音声や映像を出力したり、内蔵された後述する記憶部に記憶された音楽データや映像データを再生して音声や映像を出力したりすることができるマルチメディアプレイヤーである。また、電子機器１は、本体１０内に後述する制御部としてのＣＰＵ（Ｃｅｎｔｒａｌ  Ｐｒｏｃｅｓｓｉｎｇ  Ｕｎｉｔ）等の電子部品を収納し、正面部に電子機器１の電源投入状態（電源オン／オフ）を切り替える電源スイッチ１１と、文字画像や画像等を表示する液晶表示パネル等からなる表示部１２と、メニュー操作、ボリューム操作及びチャンネル切換操作等を行える複数のスイッチからなる操作部１３と、音声が出力される音声出力部１４と、放送波を受信することができるアンテナ１５と、電子機器１をチルトさせることができるスタンド１１０と、を備えて概略構成されている。
【００１５】
図２は、本発明の実施の形態に係る電子機器のブロック図である。電子機器１は、上記した電源スイッチ１１、表示部１２、操作部１３、音声出力部１４及びアンテナ１５の他に、アンテナ１５によって受信された放送波を符号化し、制御部１００を介して表示部１２に放送番組を表示させるチューナ１６と、一例としてＨＤＤ（Ｈａｒｄ  Ｄｉｓｃ  Ｄｒｉｖｅ）によって構成される記憶部１７と、各部を制御する制御部１００と、を備えて概略構成されている。記憶部１７には、メインプログラム１７０及び後述する設定テーブル１７１が記憶されており、制御部１００は、これを読み出して実行する。
【００１６】
（表示画面１２０の構成）
図３Ａ（ａ）は、本発明の実施の形態に係る文字サイズ変更処理前の表示画面の概略図であり、図３Ａ（ｂ）は、本発明の実施の形態に係る文字サイズ変更処理後の表示画面の概略図であり、図３Ｂ（ｃ）は、本発明の実施の形態に係る文字色及び背景画像を変更しない場合の表示画面の拡大図であり、図３Ｂ（ｄ）は、本発明の実施の形態に係る文字色及び背景画像を変更した場合の表示画面の拡大図である。
【００１７】
表示画面１２０は、文字画像１２２等を表示する表示部１２の画面のことであり、背景の画像である背景画像１２１と、「テレビ」等の文字を表す画像である文字画像１２２と、「テレビ」及び「ミュージック」等の項目からなる表示項目１２３と、アンテナ１５によって受信される放送波の受信状況を画像で表す第１のアイコン１２４と、電池の残量を画像で表す第２のアイコン１２５と、を備えて概略構成されている。
【００１８】
（設定テーブル１７１の構成）
図４は、本発明の実施の形態に係る設定テーブルの概略図である。この設定テーブル１７１は、各表示画面１２０ごとに設けられ、図４に示す設定テーブル１７１は、その一例である。設定テーブル１７１とは、事前に設計者によって設定されているものであり、一例として標準表示１７１ａと、拡大表示１７１ｂと、背景画像１２１と、文字画像１２２の色を表す文字色１２２ａと、表示項目１２３と、第１のアイコン１２と、第２のアイコン１２５と、文字画像１２２等の配置を決める配置１２６と、を備えて概略構成されている。例えば、ある表示画面１２０における標準表示１７１ａの背景画像１２１が「背景Ａ」であるとき、文字画像１２２の拡大に伴って、制御部１００はこの設定テーブル１７１を参照し、背景画像１２１を「背景Ｂ」に変更する。同様に、ある表示画面１２０における標準表示１７１ａの第１のアイコン１２４が「アイコンＡ」であるとき、文字画像１２２の拡大に伴って、制御部１００はこの設定テーブル１７１を参照し、第１のアイコン１２４を「アイコンＢ」に変更する。設定テーブル１７１は、文字画像１２２の種類や色、表示画面１２０に表示される内容に基づいたこのような表をそれぞれの表示画面１２０ごとに有しており、制御部１００は、文字画像１２２のサイズの変更が指示される度に、設定テーブル１７１を参照し、適切な表示を表示部１２に行わせる。
【００１９】
以下に、本発明の電子機器の動作を図１〜図４、及び後述する図５〜図９を参照しながら詳細に説明する。
【００２０】
（文字画像１２２のサイズ変更に伴う背景画像１２１の変更処理について）
まず、文字画像１２２のサイズ拡大に伴う背景画像１２１の変更処理について図５のフローチャートに従いながら説明する。
【００２１】
ユーザは、電源スイッチ１１を投入し、電子機器１の電源をオン状態にする。電子機器１の制御部１００は、電源スイッチ１１の投入により、記憶部１７に記憶されたメインプログラム１７０を読み出し、図３Ａ（ａ）に示す表示画面１２０を表示部１２に表示させる。このときの表示画面１２０に表示されている文字画像１２２は、標準表示１７１ａであるとする。
【００２２】
ユーザは、図３Ａ（ａ）に示す表示画面１２０に表示された文字画像１２２が小さくて読みにくいため、操作部１３を介して文字画像１２２を拡大させる項目を選択し、制御部１００は、文字画像１２２の変更指示を操作部１３を介して受け取ると（Ｓ１１；Ｙｅｓ）、表示画面１２０に表示された文字画像１２２を拡大して表示させる（Ｓ１２；第１の変更ステップ）。ここでステップ１１において、制御部１００は、文字画像１２２の変更指示がない場合（Ｓ１１；Ｎｏ）は、図３Ａ（ａ）に示す表示画面１２０のまま次の操作を待つ。
【００２３】
制御部１００は、文字画像１２２の拡大表示指示に基づいて記憶部１７に記憶されたこの表示画面１２０における設定テーブル１７１の拡大表示１７１ｂを参照し、一例として図３（ｂ）に示すように、背景画像１２１「背景Ａ」を「背景Ｂ」に変更し、文字色１２２ａ「文字色Ａ」を「文字色Ｂ」に変更し、第１及び第２のアイコン１２４、１２５「アイコンＡ」、「アイコンＣ」を「アイコンＢ」及び「アイコンＤ」に変更し（Ｓ１３；第２の変更ステップ）、表示部１２に表示させる（表示ステップ）。これは、例えば図３Ｂ（ｃ）に示すように、背景画像１２１と文字画像１２２のコントラストが低い場合、文字画像１２２を拡大表示させても、ユーザは、文字画像１２２を視認することが困難になる。しかし、図３Ｂ（ｄ）に示すように、背景画像１２１と文字画像１２２のコントラストを高くする場合、ユーザは、文字画像１２２を視認することができる。この制御部１００の変更処理によって、拡大された文字画像１２２と背景画像１２１のコントラストが高くなり、ユーザにとって視認性が高い表示画面１２０を表示部１２に表示させることができる。なお、背景画像１２１の変更は、例えば背景画像１２１をぼかす、言い換えるならフォーカスを変更することによって行われても良く、明度差のあるものにしたり、色素を変更することによって行われても良い。
【００２４】
（文字画像１２２のサイズ変更に伴う表示項目１２３の変更処理について）
図６（ａ）は、本発明の実施の形態に係る文字サイズ変更処理前の表示画面の概略図であり、図６（ｂ）は、本発明の実施の形態に係る文字サイズ変更処理後の表示画面の概略図である。文字画像１２２のサイズ拡大に伴う表示項目１２３の変更処理について図７のフローチャートに従いながら説明する。
【００２５】
ユーザは、上記した手順によって電子機器１の電源を投入すると、制御部１００は、図６（ａ）に示す表示画面１２０を表示部１２に表示させる。
【００２６】
ユーザは、図６（ａ）に示す表示画面１２０に表示された文字画像１２２が小さくて読みにくいため、操作部１３を介して文字画像１２２を拡大させる項目を選択し、制御部１００は、文字画像１２２の変更指示を操作部１３を介して受け取ると（Ｓ２１；Ｙｅｓ）、表示画面１２０に表示された文字画像１２２を拡大して表示させる（Ｓ２２；第１の変更ステップ）。ここでステップ２１において、制御部１００は、文字画像１２２の変更指示がない場合（Ｓ２１；Ｎｏ）は、図６（ａ）に示す表示画面１２０のまま次の操作を待つ。
【００２７】
文字画像１２２が拡大表示されたとき、表示項目１２３「項目Ａ」は、拡大表示されたことで項目すべてを表示画面１２０に表示させることができなくなる場合がある。そこで表示画面１２０ごとに予め必要性の高い項目を残した設定として「項目Ｂ」を設け、設定テーブル１７１に記載されているものとする。
【００２８】
文字画像１２２の拡大指示を操作部１３を介して受け取った制御部１００は、文字画像１２２の拡大表示指示に基づいて記憶部１７に記憶されたこの表示画面１２０における設定テーブル１７１の拡大表示１７１ｂを参照し、図６（ｂ）に示すように、表示項目１２３を「項目Ｂ」に変更し、さらに背景画像１２１「背景Ａ」を「背景Ｂ」に変更し、文字色１２２ａ「文字色Ａ」を「文字色Ｂ」に変更し、第１及び第２のアイコン１２４、１２５「アイコンＡ」、「アイコンＣ」を「アイコンＢ」及び「アイコンＤ」に変更し（Ｓ２３；第２の変更ステップ）、表示部１２に表示させる。この制御部１００の変更処理によって、文字画像１２２が拡大されたことによる必要性の高い項目が表示されない（次画面に表示される）という可能性を排除でき、ユーザにとって利便性が高い表示画面１２０を表示部１２に表示させることができる。
【００２９】
（文字画像１２２のサイズ変更に伴う文字画像１２２の配置変更処理について）
図８（ａ）は、本発明の実施の形態に係る文字サイズ変更処理前の表示画面の概略図であり、図８（ｂ）は、本発明の実施の形態に係る文字サイズ変更処理後の表示画面の概略図である。文字画像１２２のサイズ拡大に伴う文字画像１２２の配置変更処理について図９のフローチャートに従いながら説明する。
【００３０】
ユーザは、上記した手順によって電子機器１の電源を投入すると、制御部１００は、図８（ａ）に示す表示画面１２０を表示部１２に表示させる。この表示画面１２０に表示された表示項目１２３は、一例としてこの電子機器１のバージョン番号等を表示しており、電子機器１の修理等を製造会社に問い合わせるとき、重要であるのもとする。
【００３１】
ユーザは、バージョン番号等を表示させるため、操作部１３を操作し、制御部１００は、操作部１３からの操作指示に基づいて、図８（ａ）に示す表示画面１２０を表示部１２に表示させる。
【００３２】
ユーザは、図８（ａ）に示す表示画面１２０に表示された文字画像１２２が小さくて読みにくいため、操作部１３を介して文字画像１２２を拡大させる項目を選択し、制御部１００は、文字画像１２２の変更指示を操作部１３を介して受け取ると（Ｓ３１；Ｙｅｓ）、表示画面１２０に表示された文字画像１２２を拡大して表示させる（Ｓ３２；第１の変更ステップ）。ここでステップ３１において、制御部１００は、文字画像１２２の変更指示がない場合（Ｓ３１；Ｎｏ）は、図８（ａ）に示す表示画面１２０のまま次の操作を待つ。
【００３３】
文字画像１２２が拡大して表示されたとき、図８（ａ）に示す表示項目１２３は、拡大して表示されたことで項目すべてを表示画面１２０に表示させることができなくなる場合がある。しかし、例えば、図８（ａ）に示す表示項目１２３に含まれるロゴ画像１２３ａのように、知りたい情報とは、直接関係のない画像が含まれているため、文字画像１２２が表示できない場合がある。そこで予め必要性の低い画像や項目を配置しなおした設定である「配置Ｂ」を、設定テーブル１７１における配置１２６に設けておくものとする。
【００３４】
文字画像１２２の拡大表示指示を操作部１３を介して受け取った制御部１００は、文字画像１２２の拡大表示指示に基づいて記憶部１７に記憶された設定テーブル１７１の拡大表示１７１ｂを参照し、図８（ｂ）に示すように、表示画面１２０を「配置Ｂ」に変更し、さらに背景画像１２１「背景Ａ」を「背景Ｂ」に変更し、文字色１２２ａ「文字色Ａ」を「文字色Ｂ」に変更し、第１及び第２のアイコン１２４、１２５「アイコンＡ」、「アイコンＣ」を「アイコンＢ」及び「アイコンＤ」に変更し（Ｓ３３；第２の変更ステップ）、表示部１２に表示させる（表示ステップ）。この制御部１００の変更処理によって、文字画像１２２が拡大されたとき、知りたい情報に直接関係のない例えばロゴ画像１２３ａを表示させないことによって、重要な項目が表示されない（次画面に表示される）という可能性を排除でき、ユーザにとって利便性が高い表示画面１２０を表示部１２に表示させることができる。
【００３５】
これまで３つの変更処理それぞれについて述べたが、上記の変更処理は、同じ表示画面１２０についてそれぞれ組み合わされて行われても良い。なお、本実施の形態においては、標準表示１７１ａからの文字画像１２２の拡大について述べたが、文字画像１２２を縮小する場合においても、例えば背景画像１２１及び文字画像１２２ａの高コントラスト化は同様に有効である。
【００３６】
（効果）
上記した実施の形態によれば、拡大された文字画像１２２と背景画像１２１のコントラストが高くなり、ユーザにとって視認性が高い表示画面１２０を表示部１２に表示させることができる。また、本実施の形態によれば、文字画像１２２が拡大されたことによる必要性が高い項目が表示されない（次画面に表示される）という可能性を排除でき、ユーザにとって利便性が高い表示画面１２０を表示部１２に表示させることができ、また、知りたい情報に直接関係のない例えばロゴ画像１２３ａを表示させないことによって、必要性の高い項目が表示されない（次画面に表示される）という可能性を排除でき、ユーザにとって利便性が高い表示画面１２０を表示部１２に表示させることができる。さらに、上記した実施の形態によれば、周囲の明るさを検出するセンサ等を用いることなく、拡大された文字画像１２２の視認性を高めることができるので、構成する部品が増えることによるコストを抑えることができる。
【００３７】
なお、本発明は、上記した実施の形態に限定されず、本発明の技術思想を逸脱あるいは変更しない範囲内で種々の変形が可能である。上記した実施の形態は、電子機器１を例に取り、ハードウェアとして説明したが、本発明の画像表示プログラムをソフトウェアとして提供しても良い。
【図面の簡単な説明】
【００３８】
【図１】本発明の実施の形態に係る電子機器の斜視図である。
【図２】本発明の実施の形態に係る電子機器のブロック図である。
【図３Ａ】（ａ）は、本発明の実施の形態に係る文字サイズ変更処理前の表示画面の概略図であり、（ｂ）は、本発明の実施の形態に係る文字サイズ変更処理後の表示画面の概略図である。
【図３Ｂ】（ｃ）は、本発明の実施の形態に係る文字色及び背景画像を変更しない場合の表示画面の拡大図であり、（ｄ）は、本発明の実施の形態に係る文字色及び背景画像を変更した場合の表示画面の拡大図である。
【図４】本発明の実施の形態に係る設定テーブルの概略図である。
【図５】本発明の実施の形態に係るフローチャートである。
【図６】（ａ）は、本発明の実施の形態に係る文字サイズ変更処理前の表示画面の概略図であり、（ｂ）は、本発明の実施の形態に係る文字サイズ変更処理後の表示画面の概略図である。
【図７】本発明の実施の形態に係るフローチャートである。
【図８】（ａ）は、本発明の実施の形態に係る文字サイズ変更処理前の表示画面の概略図であり、（ｂ）は、本発明の実施の形態に係る文字サイズ変更処理後の表示画面の概略図である。
【図９】本発明の実施の形態に係るフローチャートである。
【符号の説明】
【００３９】
１…電子機器、１０…本体、１１…電源スイッチ、１２…表示部、１３…操作部、１４…音声出力部、１５…アンテナ、１６…チューナ、１７…記憶部、１００…制御部、１１０…スタンド、１２０…表示画面、１２１…背景画像、１２２…文字画像、１２２ａ…文字色、１２３…表示項目、１２３ａ…ロゴ画像、１２４…第１のアイコン、１２５…第２のアイコン、１２６…配置、１７０…メインプログラム、１７１…設定テーブル、１７１ａ…標準表示、１７１ｂ…拡大表示
【図１】
2009157777.tif 000003
【図２】
2009157777.tif 000004
【図３Ａ】
2009157777.tif 000005
【図３Ｂ】
2009157777.tif 000006
【図４】
2009157777.tif 000007
【図５】
2009157777.tif 000008
【図６】
2009157777.tif 000009
【図７】
2009157777.tif 000010
【図８】
2009157777.tif 000011
【図９】
2009157777.tif 000012